(57)【要約】      （修正有）【課題】カバー装着状態における外気の流出入が円滑に行われ、芳香の放散効率を向上させることのできる芳香剤発散器を提供する。【解決手段】芳香剤発散器１は、上面に芳香を大気中に放散する８個の放出孔２を穿孔して円形壁４により下面に形成される円形開口部３を有した蓋体１０と、液体芳香剤を内蔵した収容部４１の上面４４中央に形成された環状突起４２の開口部４３から芳香剤５を吸引する吸上芯２０の上面２２を突出させて芳香剤を蒸発させる容器本体４０とからなる。円弧状部５０は蓋体１０の円形開口部３と結合密着して外気を遮断し、通気用切欠部６０と円形開口部３との間隙は外気の間隙通気路を形成する。垂直壁６２と円形開口部３との間隙を通気口として流入する外気が間隙通気路を通じて傾斜壁６１により蓋体１０内側に誘導されて吸上芯２０の上面２２側に流通する。【選択図】図１
0003152702.tif 000002
【実用新案登録請求の範囲】
【請求項１】
上面に芳香を大気中に放散する複数の放出孔を穿孔して円形壁により下面に形成される円形開口部を有した蓋体と、芳香剤を内蔵した収容部の上面中央に形成された環状突起の開口部から前記芳香剤を吸引する吸上芯の上面を突出させて前記芳香剤を蒸発させる容器本体とから構成され、
前記収容部の上面周側下部の周方向に円弧状部と通気用切欠部を交互に複数個形成し、
前記容器本体を前記蓋体で閉鎖したときに、前記円弧状部は前記蓋体の前記円形開口部と結合密着して外気を遮断し、
前記通気用切欠部と前記円形開口部との間隙は外気の間隙通気路を形成し、
前記間隙通気路から流入する外気が前記吸上芯からの前記芳香剤の蒸発を促進させながら前記放出孔から流出して前記芳香を大気中に放散させることを特徴とする芳香剤発散器。
【請求項２】
前記上面周側下部は、上面周縁と、前記上面周縁から下向き段差を介して前記上面周縁を包囲するように形成された環状面と、前記環状面外周縁からなり、前記円弧状部は前記上面周縁の小円弧状部と前記環状面外周縁の大円弧状部からなり、前記通気用切欠部は前記上面周縁から前記環状面へと外向下方傾斜する傾斜壁と前記環状面外周縁を裁断状に切欠いた垂直壁からなり、前記垂直壁と前記円形開口部との間隙が通気口となり、前記蓋体の前記円形壁と前記傾斜壁との間隙が前記間隙通気路となり、前記通気口から流入する外気が前記傾斜壁により誘導されて前記吸上芯の上面へと流通する請求項1に記載の芳香剤発散器。
【請求項３】
前記小円弧状部と前記環状面の間に円弧状溝が周方向に刻設され、前記円弧状溝の端部に止部が形成され、円形壁の内面周方向に結合用突起が形成され、前記結合用突起を前記円弧状溝に係合して前記蓋体を回動し、前記結合用突起が前記止部により回動を阻止されて、前記蓋体と前記容器本体との結合が完成する請求項２に記載の芳香剤発散器。
【請求項４】
複数の前記垂直壁のうち少なくとも対向する２面に摩擦生起用リブを２本以上突設した請求項２又は３に記載の芳香剤発散器。
【請求項５】
前記摩擦生起用リブは前記垂直壁に形成された等間隔縦状リブ、間隔漸増型縦状リブ又は波紋状リブである請求項４に記載の芳香剤発散器。
【請求項６】
前記円形壁の円形端面と前記環状面とが接合したとき、前記円形壁の外表面と前記容器本体の外表面とが面一に形成される請求項２〜５のいずれかに記載の芳香剤発散器。
【請求項７】
前記環状突起に中間キャップを内嵌させ、前記中間キャップは前記吸上芯に外接する縮径部と前記環状突起に内接する拡径部と前記縮径部及び前記拡径部の間に連接されるテーパ部からなり、前記拡径部の内面に収容部側孔と蓋体側孔を有する連通部を突設し、前記連通部により前記収容部と前記蓋体内部とを連通する請求項１〜６のいずれかに記載の芳香剤発散器。
【請求項８】
前記環状突起の開口部にキャップを冠着して、芳香発散不要時に前記芳香剤の蒸発を防止する請求項1〜７の何れかに記載の芳香剤発散器。
【考案の詳細な説明】
【技術分野】
【０００１】
本考案は、室内やトイレ、あるいは自動車内などで使用される芳香剤を収容し、芳香剤からの芳香を大気中に放散させる芳香剤発散器に関する。
【背景技術】
【０００２】
この種の芳香剤発散器には、例えば、特許文献１及び２に開示されているように、壷型やポット形状の容器に液状芳香剤を収容し、一端を芳香剤に浸漬した吸上芯の開放端から芳香気体を放散させるものが使用されている。
特許文献１の場合、アルコールランプ型の芳香剤容器の中央に芯材を装着し、その上から半球状カバーを冠着している。また、特許文献２においては、偏平状の芳香剤容器に液体吐出管を装着し、その上からカバー部材を冠着している。特許文献２の容器は押圧変形可能であり、容器の変形で押し出された芳香剤液は、液体吐出管の先端から溢れ出して、その先端付近に設けた蒸散補助部材に吸収される。
【０００３】
芳香剤発散器においては、芯材ないし蒸散補助部材を大気中に露出させると、塵埃の付着のおそれがあると共に芳香剤の蒸発が促進されすぎて芳香剤の消耗が早くなってしまうため、上記カバー部材を冠着している。カバー部材には芳香の通気孔が形成され、芳香剤から蒸発した芳香を大気中に放散させている。
【先行技術文献】
【特許文献】
【０００４】
【特許文献１】特開平１１−２６２５１８号公報
【特許文献２】特開平８−４０４７７号公報
【考案の概要】
【考案が解決しようとする課題】
【０００５】
特許文献２の容器構造では、液体吐出管の先端から、あるいは蒸散補助部材に吸収された芳香剤から芳香気体が自然蒸散されるものの、上記カバー部材には、液体吐出管の直上に円形孔と放射状溝を形成しているだけであるため、外気の流出入が生じにくく、芳香の放散効率が低下する問題を生ずる。
また、特許文献１の半球状カバーでは、芯材の直上を避けて、先端周りのカバー側面にエアー通気孔を穿設している。この場合、エアー通気孔から入った外気が芯材の先端付近を通過し、別の通気孔より略水平方向に流出するものの、別々の通気孔からの流入エアーどうしが衝突したりして、外気の流出入が十分に生じにくい問題があった。
【０００６】
本考案は、上記課題に鑑みてなされたものであり、カバー装着状態における外気の流出入が円滑に行われ、芳香の放散効率を向上させることのできる芳香剤発散器を提供することを目的とする。
【課題を解決するための手段】
【０００７】
本考案は上記課題を解決するために為されたものであり、本考案の第1の形態は、上面に芳香を大気中に放散する複数の放出孔を穿孔して円形壁により下面に形成される円形開口部を有した蓋体と、芳香剤を内蔵した収容部の上面中央に形成された環状突起の開口部から前記芳香剤を吸引する吸上芯の上面を突出させて前記芳香剤を蒸発させる容器本体とから構成され、前記収容部の上面周側下部の周方向に円弧状部と通気用切欠部を交互に複数個形成し、前記容器本体を前記蓋体で閉鎖したときに、前記円弧状部は前記蓋体の前記円形開口部と結合密着して外気を遮断し、前記通気用切欠部と前記円形開口部との間隙は外気の間隙通気路を形成し、前記間隙通気路から流入する外気が前記吸上芯からの前記芳香剤の蒸発を促進させながら前記放出孔から流出して前記芳香を大気中に放散させる芳香剤発散器である。
【０００８】
本考案の第２の形態は、第１の形態において、前記上面周側下部は、上面周縁と、前記上面周縁から下向き段差を介して前記上面周縁を包囲するように形成された環状面と、前記環状面外周縁からなり、前記円弧状部は前記上面周縁の小円弧状部と前記環状面外周縁の大円弧状部からなり、前記通気用切欠部は前記上面周縁から前記環状面へと外向下方傾斜する傾斜壁と前記環状面外周縁を裁断状に切欠いた垂直壁からなり、前記垂直壁と前記円形開口部との間隙が通気口となり、前記蓋体の前記円形壁と前記傾斜壁との間隙が前記間隙通気路となり、前記通気口から流入する外気が前記傾斜壁により誘導されて前記吸上芯の上面へと流通する芳香剤発散器である。
【０００９】
本考案の第３の形態は、第２の形態において、前記小円弧状部と前記環状面の間に円弧状溝が周方向に刻設され、前記円弧状溝の端部に止部が形成され、円形壁の内面周方向に結合用突起が形成され、前記結合用突起を前記円弧状溝に係合して前記蓋体を回動し、前記結合用突起が前記止部により回動を阻止されて、前記蓋体と前記容器本体との結合が完成する芳香剤発散器である。
【００１０】
本考案の第４の形態は、第２又は第３の形態において、複数の前記垂直壁のうち少なくとも対向する２面に摩擦生起用リブを２本以上突設した芳香剤発散器である。
【００１１】
本考案の第５の形態は、第４の形態において、前記摩擦生起用リブは前記垂直壁に形成された等間隔縦状リブ、間隔漸増型縦状リブ又は波紋状リブである芳香剤発散器である。
【００１２】
本考案の第６の形態は、第２〜第５のいずれかの形態において、前記円形壁の円形端面と前記環状面とが接合したとき、前記円形壁の外表面と前記容器本体の外表面とが面一に形成される芳香剤発散器である。
【００１３】
本考案の第７の形態は、第２〜第５のいずれかの形態において、前記環状突起に中間キャップを内嵌させ、前記中間キャップは前記吸上芯に外接する縮径部と前記環状突起に内接する拡径部と前記縮径部及び前記拡径部の間に連接されるテーパ部からなり、前記拡径部の内面に収容部側孔と蓋体側孔を有する連通部を突設し、前記連通部により前記収容部と前記蓋体内部とを連通する芳香剤発散器である。
【００１４】
本考案の第８の形態は、第１〜第７のいずれかの形態において、前記環状突起の開口部にキャップを冠着して、芳香発散不要時に前記芳香剤の蒸発を防止する芳香剤発散器である。
【考案の効果】
【００１５】
本考案は、室内や車内等における空気流が横方向の流れよりも下方から上方に生ずる傾向にある点に着目して為されたものである。
本考案の第１の形態によれば、芳香剤を内蔵した前記収容部の上面周側下部の周方向に円弧状部と通気用切欠部を交互に複数個形成し、前記容器本体を前記蓋体で閉鎖したときに、前記円弧状部は前記蓋体の前記円形開口部と結合密着して外気を遮断し、前記通気用切欠部と前記円形開口部との間隙は外気の間隙通気路を形成し、前記間隙通気路から流入する外気が前記吸上芯からの前記芳香剤の蒸発を促進させながら前記放出孔から流出して前記芳香を大気中に放散させるので、単に前記蓋体に前記放出孔を形成しただけでは芳香を十分に放散させる空気流が生じないが、前記間隙通気路を通じて前記蓋体の内部を下側から前記吸上芯の上面を通過して前記放出孔より流出するといった外気の流れを生じさせることができる。従って、前記蓋体により前記容器本体を閉鎖したカバー装着状態において、室内等における下方から上方に生ずる空気流を利用しながら芳香放散を円滑且つ効率的に行うことができる。
【００１６】
本考案に係る芳香剤には、芳香成分を主組成としたものに限らず、消臭成分を含む消臭剤を使用することができる。また、芳香剤の形態には液体に限らず、香料等がゲル状の揮発物質からなるものも含まれる。
【００１７】
本考案の第２の形態によれば、前記蓋体の前記円形壁と前記傾斜壁との間隙からなる前記間隙通気路を通じて、前記垂直壁と前記円形開口部との間隙である前記通気口から外気が流入し、前記傾斜壁により誘導されて前記吸上芯の上面へと流通するので、前記蓋体によるカバー装着状態において、室内等における下方から上方に生ずる空気流を利用した外気の流れを生じて、芳香放散を円滑且つ効率的に行うことができる。
【００１８】
本考案の第３の形態によれば、前記小円弧状部と前記環状面の間に円弧状溝が周方向に刻設され、前記円弧状溝の端部に止部が形成され、円形壁の内面周方向に結合用突起が形成され、前記結合用突起を前記円弧状溝に係合して前記蓋体を回動し、前記結合用突起が前記止部により回動を阻止されて、前記蓋体と前記容器本体との結合が完成するので、前記容器本体の前記円弧状部と前記蓋体の前記円形開口部との結合密着を確実にしながら前記間隙通気路を形成、確保することができる。
【００１９】
本考案の第４の形態によれば、複数の前記垂直壁のうち少なくとも対向する２面に摩擦生起用リブを２本以上突設したので、前記摩擦生起用リブを指で掴んで前記蓋体を回動することにより、手や指が滑らず前記蓋体と前記容器本体との結合を確実に行うことができる。前記摩擦生起用リブの形成は前記対向する２面のみでもよいが、前記垂直壁を２対以上設け、交差状に配置した他の２面にも形成して４面、８面等にリブ形成してもよい。
【００２０】
本考案の第５の形態によれば、前記摩擦生起用リブとして、前記垂直壁に形成された等間隔縦状リブ、間隔漸増型縦状リブ又は波紋状リブを用いることにより、前記蓋体の回動操作を円滑に行え、しかも美感に優れたリブ紋様により容器デザイン効果の向上にも寄与する。
【００２１】
本考案の第６の形態によれば、前記円形壁の円形端面と前記環状面とが接合したとき、前記円形壁の外表面と前記容器本体の外表面とが面一に形成され、凹凸が解消され把持しやすくなっているので、前記蓋体を装着したカバー状態で持ち運びする際に落下しにくく、しかも全体としてまとまりのある美感を生じさせる外観形状を具現化することができる。
【００２２】
本考案の第７の形態によれば、前記環状突起に中間キャップを内嵌させ、前記中間キャップは前記吸上芯に外接する縮径部と前記環状突起に内接する拡径部と前記縮径部及び前記拡径部の間に連接されるテーパ部からなり、前記拡径部の内面に収容部側孔と蓋体側孔を有する連通部を突設し、前記連通部により前記収容部と前記蓋体内部とを連通するので、前記中間キャップにより前記吸上芯を安定支持すると共に、前記収容部と前記蓋体内部の圧力差をなくして収容芳香剤の液面の上下動が発生せず、定常的に芳香発散を行わせることができる。
【００２３】
本考案の第８の形態によれば、芳香発散不要時には前記環状突起の開口部に前記キャップを冠着することにより前記芳香剤の蒸発を防止することができるので、芳香剤を無駄なく経済的に使用することができる。
【図面の簡単な説明】
【００２４】
【図１】本考案に係る芳香剤発散器１の分解斜視図である。
【図２】芳香剤発散器１の組立全体外観図である。
【図３】芳香剤発散器１の縦断面図である。
【図４】芳香剤発散器１の作用説明図である。
【図５】芳香剤発散器１にキャップ９０を冠着した縦断面図である。
【図６】円形開口部３側から見た、芳香剤発散器１の蓋体１０の平面図である。
【図７】芳香剤発散器１の容器本体４０の平面図である。
【図８】芳香剤発散器１において、蓋体１０と容器本体４０を接合した結合完成前後の状態説明図である。図８の（８Ａ）は結合完成前の状態説明図であり、同図（８Ｂ）は結合完成後の状態説明図である。
【図９】芳香剤発散器１における摩擦生起用リブの変形例を示す変形例説明図である。図９の（９Ａ）は摩擦生起用リブとして対向２面に波紋状リブを突設した変形例の説明図であり、同図（９Ｂ）は摩擦生起用リブとして対向４面に間隙漸増型縦状リブを突設した変形例の説明図である。
【考案を実施するための形態】
【００２５】
以下、本考案の実施形態を図面に基づいて説明する。
図１は本考案に係る芳香剤発散器１の分解斜視図である。図２は芳香剤発散器１の組立全体外観図である。図３は芳香剤発散器１の縦断面図である。
【００２６】
芳香剤発散器１は、上面に芳香を大気中に放散する８個の放出孔２を穿孔して円形壁４により下面に形成される円形開口部３を有した蓋体１０と、液体芳香剤５を内蔵した収容部４１の上面４４中央に形成された環状突起４２の開口部４３から芳香剤５を吸引する吸上芯２０の上面２２を突出させて芳香剤を蒸発させる容器本体４０とから構成されている。芳香剤発散器１の各部材は合成樹脂の成形品で形成されている。容器本体４０はガラス容器で成形してもよい。吸上芯２０は例えば、アクリル樹脂、ポリエステル樹脂等の樹脂繊維毛を束ねた吸液性棒状芯材からなる。
【００２７】
図７は容器本体４０の平面図である。容器本体４０は、上面４４により上部が閉塞された、略椀状の収容部４１を備え、上面４４中央に環状突起４２が一体的に垂設されている。収容部４１の上面周側下部４５には、その周方向に円弧状部５０と通気用切欠部６０が４個ずつ、交互に形成されている。
【００２８】
上面周側下部４５は、上面周縁４６と、上面周縁４６から下向き段差４７を介して上面周縁４６を包囲するように形成された環状面４８と、環状面４８の外周縁４９からなる。円弧状部５０は上面周縁４６の小円弧状部５１と環状面外周縁４９の大円弧状部５２からなる。通気用切欠部６０は上面周縁４６から環状面４８へと外向下方傾斜する傾斜壁６１と環状面外周縁４９を裁断状に切欠いた垂直壁６２からなる。
【００２９】
環状突起４２の開口部４３外周には、保護用キャップ９０（後述の図５参照）を螺着するためのネジ部が形成されている。開口部４３には、吸上芯２０が中間キャップ３０を介して内嵌、挿着される。中間キャップ３０を介して内嵌された吸上芯２０の下端部は芳香剤５に浸漬され、吸上芯の開放端は中間キャップ３０より突出した状態になっている。
中間キャップ３０は吸上芯２０に外接する縮径部３３と環状突起４２に内接する拡径部３１と縮径部３３及び拡径部３１の間に連接されるテーパ部３２からなる。拡径部３１の内面には、収容部側孔３６と蓋体側孔３５を有する連通部３４が突設され、連通部３４により収容部５０と蓋体１０内部とが連通している。
拡径部３１の内面に突設された連通部３４により、吸上芯２０側面に軽圧をかけて支持する利点もある。従って、中間キャップ３０は吸上芯２０を安定支持すると共に、連通部３４の連通作用により収容部５０と蓋体１０内部の圧力差をなくしているので、収容芳香剤５の液面の上下動が発生させずに、定常的に芳香発散を行わせることができる。また、拡径部３１の拡径作用によって吸上芯２０の突出側面の芳香発散面積を大きくすることができる。
【００３０】
図６は円形開口部３側から見た、前記芳香剤発散器の蓋体１０の平面図である。蓋体１０は略椀形状を有し、上面には８個の放出孔２が放射状に穿設されている。下面の円形開口部３の内周縁には、容器本体４０と係合して結合させるための結合用突起８が等間隔で４個突設されている。容器本体４０の小円弧状部５１と環状面４８の間には、円弧状溝７０が周方向に刻設され、また円弧状溝７０の端部に止部７１が形成されている。
【００３１】
図８は蓋体１０と容器本体４０を接合した結合完成前後の状態を示す。図８の（８Ａ）は結合完成前の状態を示し、同図（８Ｂ）は結合完成後の状態を示す。
蓋体１０の結合用突起８を円弧状溝７０に係合して、図示の時計回り方向Ｃに蓋体１０を回動すると、結合用突起８が止部７１により回動が阻止されて、蓋体１０と容器本体４０との結合が完成する。
【００３２】
蓋体１０と容器本体４０との結合によって、容器本体４０を蓋体１０により閉鎖したカバー装着状態においては、吸上芯２０から吸い上げた芳香剤が上面２２及び吸上芯上部周面２４から蒸発し、その揮発芳香は放出孔２から外気に向けて放散される。
【００３３】
図４は芳香剤発散器１における芳香放散作用の説明図である。上記カバー装着状態においては、円弧状部５０は蓋体１０の円形開口部３と結合密着して外気を遮断し、通気用切欠部６０と円形開口部３との間隙は外気の間隙通気路１１を形成している。即ち、垂直壁６２と円形開口部３との間隙が通気口９となり、蓋体１０の円形壁４と傾斜壁６１との間隙が間隙通気路１１となっている。矢印Ａで示すように、通気口９から流入する外気が傾斜壁６１により蓋体１０内側に誘導されて吸上芯２０の上面２２側に流通する。この流入外気は、芳香を発散させている上面２２及び吸上芯上部周面２４に流れていくため、吸上芯２０からの芳香剤５の蒸発を促進させると共に、矢印Ｂで示すように、放出孔２からの外部流出も促して発散芳香を大気中に円滑、且つ効率的に放散させることができる。特に、上記カバー装着状態においては、結合用突起８と円弧状溝７０の止部７１との結合作用により、容器本体４０の円弧状部５０と蓋体１０の円形開口部３との結合密着を確実にしながら間隙通気路１１を形成して、確保することができ、芳香発散を安定的に生じさせる空気流を形成することができる。
【００３４】
図２に示すように、芳香剤発散器１においては、蓋体１０の円形壁４の円形端面６と、容器本体４０の環状面４８とが接合したとき、円形壁４の外表面７と容器本体４０の外表面７５とが面一に形成されている。従って、芳香剤発散器１は、蓋体１０を装着したカバー状態では、凹凸のない把持しやすい外観形態となっているので、持ち運びする際に落下しにくく、しかも全体としてまとまりのある美感を生じさせる、果物様の外観形状を具備している。
【００３５】
容器本体４０には４個の垂直壁６２が形成されているが、そのうち対向する２面側の垂直壁６２には、２０本の摩擦生起用リブ８２が突設されている。摩擦生起用リブ８２は等間隔縦状に刻設されたリブである。摩擦生起用リブ８２を指で掴んで蓋体１０を回動することにより、指が滑らず蓋体１０と容器本体４０との結合、解除を確実に行うことができる。
【００３６】
図９は摩擦生起用リブの変形例を示す。図９の（９Ａ）は摩擦生起用リブとして対向２面に波紋状リブ８４を垂直壁６２に突設した変形例を示す。同図（９Ｂ）は摩擦生起用リブとして対向４面に間隙漸増型縦状リブ８５を垂直壁６２に突設した変形例を示す。
摩擦生起用リブとして、（９Ａ）の波紋状リブ８４又は（９Ｂ）の間隔漸増型縦状リブ８５を用いることにより、等間隔縦状リブと同様に、蓋体１０の回動操作を円滑に行え、しかも美感に優れたリブ紋様により容器デザイン効果の向上にも寄与する。（９Ｂ）に示すように、摩擦生起用リブの形成は対向する２面のみでもよいが、４個の垂直壁６２の全てに形成してもよい。
【００３７】
図５は芳香剤発散器１に保護用キャップ９０を冠着したときの縦断面を示す。芳香剤発散器１を使用しないときは、環状突起４２の開口部４３にキャップ９０を螺着して冠着すると、芳香剤５の蒸発を防止することができる。使用時には図３等に示すように、キャップ９０を環状突起４２から取り外して、吸上芯２０の上部を露出させ芳香発散を行うことができる。従って、キャップ９０の着脱により、必要時のみ芳香放散させ、無駄なく経済的に芳香剤を消費させることができる。
【産業上の利用可能性】
【００３８】
本考案によれば、芳香剤の放散効率を向上させた芳香剤発散器を提供することができる。
【符号の説明】
【００３９】
１              芳香剤発散器
２              放出孔
３              円形開口部
４              円形壁
５              芳香剤
６              円形端面
７              外表面
８              結合用突起
９              通気口
１０            蓋体
１１            間隙通気路
２０            吸上芯
２２            上面
２４            吸上芯上部周面
３０            中間キャップ
３１            拡径部
３２            テーパ部
３３            縮径部
３４            連通部
３５            蓋体側孔
３６            収容部側孔
４０            容器本体
４１            収容部
４２            環状突起
４３            開口部
４４            上面
４５            上面周側下部
４６            上面周縁
４７            下向き段差
４８            環状面
４９            外周縁
５０            円弧状部
５１            小円弧状部
５２            大円弧状部
６０            通気用切欠部
６１            傾斜壁
６２            垂直壁
７０            円弧状溝
７１            止部
７５            外表面
８２            摩擦生起用リブ
８４            波紋状リブ
８５            間隙漸増型縦状リブ
９０            キャップ
Ａ              矢印
Ｂ              矢印
Ｃ              時計回り方向
【図１】
0003152702.tif 000003
【図２】
0003152702.tif 000004
【図３】
0003152702.tif 000005
【図４】
0003152702.tif 000006
【図５】
0003152702.tif 000007
【図６】
0003152702.tif 000008
【図７】
0003152702.tif 000009
【図８】
0003152702.tif 000010
【図９】
0003152702.tif 000011
【手続補正書】
【提出日】平成21年4月23日(2009.4.23)
【手続補正１】
【補正対象書類名】実用新案登録請求の範囲
【補正対象項目名】全文
【補正方法】変更
【補正の内容】
【実用新案登録請求の範囲】
【請求項１】
上面に芳香を大気中に放散する複数の放出孔を穿孔して円形壁により下面に形成される円形開口部を有した蓋体と、芳香剤を内蔵した収容部の上面中央に形成された環状突起の開口部から前記芳香剤を吸引する吸上芯の上面を突出させて前記芳香剤を蒸発させる容器本体とから構成され、前記収容部の上面周側下部の周方向に円弧状部と通気用切欠部を交互に複数個形成し、前記容器本体を前記蓋体で閉鎖したときに、前記円弧状部は前記蓋体の前記円形開口部と結合密着して外気を遮断し、前記通気用切欠部と前記円形開口部との間隙は外気の間隙通気路を形成し、前記間隙通気路から流入する外気が前記吸上芯からの前記芳香剤の蒸発を促進させながら前記放出孔から流出して前記芳香を大気中に放散させることを特徴とする芳香剤発散器。
【請求項２】
前記上面周側下部は、上面周縁と、前記上面周縁から下向き段差を介して前記上面周縁を包囲するように形成された環状面と、前記環状面外周縁からなり、前記複数個の円弧状部は前記上面周縁の小円弧状部と前記環状面外周縁の大円弧状部からなり、前記複数個の通気用切欠部は前記上面周縁から前記環状面へと外向下方傾斜する傾斜壁と前記環状面外周縁を裁断状に切欠いた垂直壁からなり、前記垂直壁と前記円形開口部との間隙が通気口となり、前記蓋体の前記円形壁と前記傾斜壁との間隙が前記間隙通気路となり、前記通気口から流入する外気が前記傾斜壁により誘導されて前記吸上芯の上面へと流通する請求項1に記載の芳香剤発
散器。
【請求項３】
前記小円弧状部と前記環状面の間に円弧状溝が周方向に刻設され、前記円弧状溝の端部に止部が形成され、円形壁の内面周方向に結合用突起が形成され、前記結合用突起を前記円弧状溝に係合して前記蓋体を回動し、前記結合用突起が前記止部により回動を阻止されて、前記蓋体と前記容器本体との結合が完成する請求項２に記載の芳香剤発散器。
【請求項４】
前記複数個の通気用切欠部の前記垂直壁のうち少なくとも対向する２面に摩擦生起用リブを２本以上突設した請求項２又は３に記載の芳香剤発散器。
【請求項５】
前記摩擦生起用リブは前記垂直壁に形成された等間隔縦状リブ、間隔漸増型縦状リブ又は波紋状リブである請求項４に記載の芳香剤発散器。
【請求項６】
前記円形壁の円形端面と前記環状面とが接合したとき、前記円形壁の外表面と前記容器本体の外表面とが面一に形成される請求項２〜５のいずれかに記載の芳香剤発散器。
【請求項７】
前記環状突起に中間キャップを内嵌させ、前記中間キャップは前記吸上芯に外接する縮径部と前記環状突起に内接する拡径部と前記縮径部及び前記拡径部の間に連接されるテーパ部からなり、前記拡径部の内面に収容部側孔と蓋体側孔を有する連通部を突設し、前記連通部により前記収容部と前記蓋体内部とを連通する請求項１〜６のいずれかに記載の芳香剤発散器。
【請求項８】
前記環状突起の開口部にキャップを冠着して、芳香発散不要時に前記芳香剤の蒸発を防止する請求項1〜７の何れかに記載の芳香剤発散器。
【手続補正書】
【提出日】平成21年6月8日(2009.6.8)
【手続補正１】
【補正対象書類名】実用新案登録請求の範囲
【補正対象項目名】全文
【補正方法】変更
【補正の内容】
【実用新案登録請求の範囲】
【請求項１】
上面に芳香を大気中に放散する複数の放出孔を穿孔して円形壁により下面に形成される円形開口部を有した蓋体と、芳香剤を内蔵した収容部の上面中央に形成された環状突起の開口部から前記芳香剤を吸引する吸上芯の上面を突出させて前記芳香剤を蒸発させる容器本体とから構成され、前記収容部の上面周側下部の周方向に円弧状部と通気用切欠部を交互に複数個形成し、前記容器本体を前記蓋体で閉鎖したときに、前記円弧状部は前記蓋体の前記円形開口部と結合密着して外気を遮断し、前記通気用切欠部と前記円形開口部との間隙は外気の間隙通気路を形成し、前記間隙通気路から流入する外気が前記吸上芯からの前記芳香剤の蒸発を促進させながら前記放出孔から流出して前記芳香を大気中に放散させることを特徴とする芳香剤発散器。
【請求項２】
前記上面周側下部は、上面周縁と、前記上面周縁から下向き段差を介して前記上面周縁を包囲するように形成された環状面と、前記環状面の外周縁からなり、前記複数個の円弧状部は前記上面周縁の小円弧状部と前記環状面外周縁の大円弧状部からなり、前記複数個の通気用切欠部は前記上面周縁から前記環状面へと外向下方傾斜する傾斜壁と前記環状面外周縁を裁断状に切欠いた垂直壁からなり、前記垂直壁と前記円形開口部との間隙が通気口となり、前記蓋体の前記円形壁と前記傾斜壁との間隙が前記間隙通気路となり、前記通気口から流入する外気が前記傾斜壁により誘導されて前記吸上芯の上面へと流通する請求項1に記載の芳香剤発散器。
【請求項３】
前記小円弧状部と前記環状面の間に円弧状溝が周方向に刻設され、前記円弧状溝の端部に止部が形成され、円形壁の内面周方向に結合用突起が形成され、前記結合用突起を前記円弧状溝に係合して前記蓋体を回動し、前記結合用突起が前記止部により回動を阻止されて、前記蓋体と前記容器本体との結合が完成する請求項２に記載の芳香剤発散器。
【請求項４】
前記複数個の通気用切欠部の前記垂直壁のうち少なくとも対向する２面に摩擦生起用リブを２本以上突設した請求項２又は３に記載の芳香剤発散器。
【請求項５】
前記摩擦生起用リブは前記垂直壁に形成された等間隔縦状リブ、間隔漸増型縦状リブ又は波紋状リブである請求項４に記載の芳香剤発散器。
【請求項６】
前記円形壁の円形端面と前記環状面とが接合したとき、前記円形壁の外表面と前記容器本体の外表面とが面一に形成される請求項２〜５のいずれかに記載の芳香剤発散器。
【請求項７】
前記環状突起に中間キャップを内嵌させ、前記中間キャップは前記吸上芯に外接する縮径部と前記環状突起に内接する拡径部と前記縮径部及び前記拡径部の間に連接されるテーパ部からなり、前記拡径部の内面に収容部側孔と蓋体側孔を有する連通部を突設し、前記連通部により前記収容部と前記蓋体内部とを連通する請求項１〜６のいずれかに記載の芳香剤発散器。
【請求項８】
前記環状突起の開口部にキャップを冠着して、芳香発散不要時に前記芳香剤の蒸発を防止する請求項1〜７の何れかに記載の芳香剤発散器。